(57)【要約】      （修正有）【課題】テンプレートを使用することで、手軽で確実に行える印刷装置を提供する。【解決手段】印刷用のテンプレートに写真枠が含まれ、写真データを入力し、テンプレートの写真枠に写真を表示するように印刷を行なう印刷装置であって、写真データに対して複数の修正方針に対応した補正が可能な写真補正手段とを備え、テンプレートの写真枠に写真補正手段での修正方針を設定可能とした。【選択図】図４
2017144629.tif 000002
【特許請求の範囲】
【請求項１】
印刷用のテンプレートに写真枠が含まれ、写真データを入力し、同テンプレートの前記写真枠に写真を表示するように印刷を行う印刷装置であって、
写真データに対して複数の修正方針に対応した補正が可能な写真補正手段とを備え、
前記テンプレートの写真枠に前記写真補正手段での修正方針を変更可能としてあることを特徴とする印刷装置。
【請求項２】
前記テンプレートに含まれる前記写真枠の情報を取得する情報取得手段と、
前記取得された枠情報に基づいて前記写真補正手段での修正方針を指定する修正方針適用手段とを具備することを特徴とする請求項１に記載の印刷装置。
【請求項３】
前記写真枠に前記写真補正手段の修正方針を仮設定してあることを特徴とする請求項１または請求項２に記載の印刷装置。
【請求項４】
前記写真データに対して顔認識をする顔認識手段を備え、
前記修正方針適用手段は、認識結果に基づいて、同写真データが配置される前記枠の修正方針として人物用の修正方針を適用することを特徴とする請求項１〜請求項３のいずれかに記載の印刷装置。
【請求項５】
前記テンプレートには、種類の設定が可能であり、
前記修正方針適用手段は、前記種類と前記枠情報とに基づいて前記写真補正手段での修正方針を指定することを特徴とする請求項１〜請求項４のいずれかに記載の印刷装置。
【請求項６】
前記修正方針適用手段は、前記写真枠の数に基づいて前記写真補正手段での修正方針を指定することを特徴とする請求項１〜請求項５のいずれかに記載の印刷装置。
【請求項７】
前記修正方針適用手段は、前記写真枠の形状に基づいて前記写真補正手段での修正方針を指定することを特徴とする請求項１〜請求項６のいずれかに記載の印刷装置。
【請求項８】
前記テンプレートの写真枠への修正方針をユーザーの操作入力に基づいて設定可能であり、
前記修正方針適用手段は、ユーザーの操作入力に基づく設定を記録し、同設定の記録を使用して前記写真補正手段での修正方針を指定することを特徴とする請求項１〜請求項７のいずれかに記載の印刷装置。
【請求項９】
印刷用のテンプレートに写真枠が含まれ、写真データを入力し、同テンプレートの前記写真枠に写真を表示するように印刷を行う印刷方法であって、写真データに対して複数の修正方針に対応した写真補正が可能であり、
前記テンプレートに含まれる前記写真枠の情報を取得する工程と、
前記取得された枠情報に基づいて前記写真補正での修正方針を指定する工程とを実行させることを特徴とする印刷方法。
【発明の詳細な説明】
【技術分野】
【０００１】
本発明は、印刷装置と印刷方法に関し、特に、テンプレートの機能を有する印刷装置と印刷方法に関する。
【背景技術】
【０００２】
高度な印刷を手軽に可能とするために、テンプレートの機能を備えたプリンターが利用されている。特許文献１に開示された印刷装置は、アドレスデータを選択すると、選択されたアドレスデータのグループ番号と同じグループ番号を備えたテンプレートデータを読み出し、読み出したテンプレートデータおよび選択されたアドレスデータに基づき、葉書表面の宛先や画像情報を含む印刷レイアウトで葉書裏面を印刷する。したがって、アドレスデータを選択するという簡単な操作だけで、撮像した画像を用いた年賀状や暑中見舞い等の印刷指示を手軽に行うことができる。
【０００３】
一方、撮影した画像を自動的に修正する技術も広く利用され始めてきている。
【先行技術文献】
【特許文献】
【０００４】
【特許文献１】特開２００５−２８６５４５号公報
【発明の概要】
【発明が解決しようとする課題】
【０００５】
テンプレートを利用して手軽に高度な印刷を行えるが、撮影した画像を用いた場合に、自動的に最適な修正が可能であると便利である。
本発明は、テンプレートを使用することで、手軽で確実に行えるようにする。
【課題を解決するための手段】
【０００６】
本発明は、印刷用のテンプレートに写真枠が含まれ、写真データを入力し、同テンプレートの前記写真枠に写真を表示するように印刷を行う印刷装置であって、写真データに対して複数の修正方針に対応した補正が可能な写真補正手段とを備え、前記テンプレートの写真枠に前記写真補正手段での修正方針を設定可能とした構成としてある。
また、前記テンプレートに含まれる前記写真枠の情報を取得する情報取得手段と、前記取得された枠情報に基づいて前記写真補正手段での修正方針を指定する修正方針適用手段とを構成としても良い。
【０００７】
前記構成において、印刷用のテンプレートには写真枠が含まれ、写真データを入力すると、印刷装置は、同テンプレートの前記写真枠に写真を表示するように印刷を行う。また、写真補正手段は、写真データに対して複数の修正方針に対応した補正が可能であり、前記テンプレートの写真枠に前記写真補正手段での修正方針を設定しておくことで、テンプレートの写真枠に適した修正を写真データに適用できる。
【０００８】
さらに、情報取得手段が、前記テンプレートに含まれる前記写真枠の情報を取得した場合、修正方針適用手段は、前記取得された枠情報に基づいて前記写真補正手段での修正方針を指定する。
これにより、写真枠を備えたテンプレートを用意することで、同写真枠に最適な修正方針が反映され、写真データには同修正方針に沿う修正が施される。
【図面の簡単な説明】
【０００９】
【図１】本発明が適用される印刷装置の概略ブロック図である。
【図２】テンプレートの一例を示す図である。
【図３】テンプレートの設定情報を示す図である。
【図４】修正方針を自動設定する処理のフローチャートである。
【図５】変形例の修正方針処理のフローチャートである。
【発明を実施するための形態】
【００１０】
（第１実施例）
以下、図面にもとづいて本発明の実施形態を説明する。
図１は、本発明が適用される印刷装置の概略ブロック図である。
同図において、インクジェットプリンター１０は、タッチパネルディスプレイ２０と、制御回路４０と、メモリーカードリーダー５０と、プリントエンジン６０と、キーボード７０とを備えている。制御回路４０は、内部にＣＰＵ４１と、ＲＡＭ４２と、不揮発性メモリー（ＲＯＭ）４３とを備えている。制御回路４０は、ＲＡＭ４２をワーク領域として、不揮発性メモリー４３に記憶されているプログラムを実行し、タッチパネルディスプレイ２０と、プリントエンジン６０を制御する。そして、同プログラムで提供される各種の機能を実現する。
【００１１】
タッチパネルディスプレイ２０は、タッチ入力デバイス２１と、ディスプレイ２２とを備えており、タッチ操作を受付可能であり、所定の画像を表示する。制御回路４０は、前記タッチ入力デバイス２１とディスプレイ２２とに接続され、
メモリーカードリーダー５０は、脱着式のメモリー媒体へのデータの読み書きを可能とする。本実施形態では、写真データが記録されたメモリー媒体をメモリーカードリーダー５０に装着すると、制御回路４０は同メモリー媒体から所定の写真データを読み込むことができる。また、メモリー媒体Ｍによって、新たなテンプレートデータを提供することも可能である。キーボード７０は操作パネルとして実体のあるものとして構成しても良いが、タッチパネルディスプレイ２０によって仮想的に実現するものであっても良い。
【００１２】
制御回路４０は、タッチパネルディスプレイ２０に対する所定の表示を行い、ユーザーからの操作を入力させる。制御回路４０は、ユーザーの操作に対応して、メモリーカードリーダー５０に保存されている写真データや印刷用のテンプレートを選択すると共に、テンプレートの写真枠に写真が表示される画像を生成する。そして、制御回路４０が、プリントエンジン６０に印刷データを送ることで、同プリントエンジン６０が印刷を行う。
【００１３】
図２は、テンプレートの一例を示す図である。
この例は、季節の挨拶状の一例であり、テンプレートＴには、背景の画像部分と、外部からのデータが反映される写真枠Ｐと文字枠Ｊが用意されている。
背景の画像部分は、個別に変更することはできないが、写真枠Ｐに対しては写真データＤＰを指定することで同写真データＤＰの画像が、写真枠Ｐに入りきることになる。また、文字枠Ｊについても、キーボード７０で入力したり、予め用意しておいたテキストデータＤＴを指定することで、同テキストデータＤＴに対応した文字が印刷されることになる。
【００１４】
同図のテンプレートＴには含まれていないが、この他にもイラスト枠Ｉを用意することが可能であり、イラスト枠ＩにイラストデータＤＩを指定することで同イラストデータＤＩの画像が、イラスト枠Ｉに入りきることになる。
図３は、テンプレートの設定情報を示す図である。
本実施形態では、はがきへの印刷を前提としている。個々のテンプレートＴに対してテンプレート設定情報ＴＪが用意されており、このテンプレート設定情報ＴＪの各欄の情報に基づいて、写真枠Ｐ、文字枠Ｊ、イラスト枠Ｉ、さらに背景を組み合わせて所定の画像を生成する。なお、テンプレート設定情報ＴＪには、内部的あるいは外部的にカテゴリーを示すカテゴリーデータＤＣが含まれる。以下の情報に加えてカテゴリーデータＤＣが付されていれば内部的に含めているといえ、各テンプレートが分類されて表示されるようにしている場合は、表示されるときの分類がカテゴリーデータＤＣに相当するので外部的に含めていると言える。いずれにしても、各テンプレートデータＤＴにはカテゴリーデータＤＣが付属する。
【００１５】
背景の画像部分を表示する情報となるのは、データ名（プリセット値xxxx）、サイズ（プリセット値xxxx）、位置（プリセット値xxxx）である。データ名で指定される画像データを、位置で指定される座標を左上角として、縦横方向にサイズで指定される大きさで配置する。
イラスト枠Ｉの情報となるのは、データ名（プリセット値xxxx）、サイズ（プリセット値xxxx）、位置（プリセット値xxxx）である。データ名で指定される画像データを、位置で指定される座標を左上角として、縦横方向にサイズで指定される大きさで配置する。
【００１６】
文字枠Ｊの情報となるのは、文字列データ（プリセット値xxxx）、書体（プリセット値xxxx）、色（プリセット値xxxx）、太さ（プリセット値xxxx）、文字サイズ（プリセット値xxxx）、文字枠サイズ（プリセット値xxxx）、位置（プリセット値xxxx）である。文字列データで指定される文字列を、位置で指定される座標を左上角の位置として、縦横方向に文字枠サイズで指定される大きさの枠を配置する。枠の中の文字は、それぞれ書体、色、太さ、文字サイズで指定したとおりに表示される。
【００１７】
写真枠Ｐの情報となるのは、写真データ名（プリセット値無し）、サイズ（プリセット値xxxx）、位置（プリセット値xxxx）、トリミング情報（プリセット値xxxx）、縦・横情報（プリセット値xxxx）、補正情報（プリセット値xxxx）である。写真データ名で指定される画像を、位置で指定される座標を左上角として、縦横方向にサイズで指定される大きさで配置する。写真の大きさと写真枠Ｐの大きさとが一致するとは限らないので、トリミング情報でトリミングするための情報を指定し、縦・横情報で枠内に表示させるための位置を指定する。
【００１８】
写真枠Ｐには、補正情報を設定可能である。この補正情報は変更可能である。補正情報は、実際の風景や人物などを撮影した写真に対して、印刷時に反映させる自動補正のための情報である。自動補正は、近年の印刷時にはほぼ反映されている。自動補正は、修正方針に則して写真の見た目を向上させる。複数の修正方針として、主なものは「人物」と「風景」と「標準」である。他にも、夜景、スポーツ、逆光・・など、多種の修正方針が利用されている。本実施形態では、補正情報を自動的に設定することが可能であり、設定されるのは「人物」と「風景」と「標準」である。
【００１９】
図４は、修正方針を自動設定する処理のフローチャートである。本フローチャートに対応するプログラムを制御回路４０内のＣＰＵ４１が実行する。以下、同フローチャートに沿って処理について説明する。
制御回路４０のＣＰＵ４１は、Ｓ１００にて、対象とするテンプレートＴのカテゴリーデータＤＣに基づいてカテゴリーが年賀状であるか否かを判定する。年賀状には写真を加えて印刷することが多く写真枠Ｐは、人物の写真データを設定される傾向が極めて高い。このため、カテゴリーデータＤＣに基づいて年賀状であると判断されれば、シーンは人物であると判定する。シーンが人物と判定されれば、Ｓ１０６にて、補正情報には「人物」が反映される。写真補正する際には修正方針として「人物」の写真に適用すると見栄えが向上する修正が指示され、その指示に則した写真補正が行われる。
【００２０】
次に、ＣＰＵ４１は、Ｓ１０２にて、カテゴリーが暑中見舞いか否かを判定する。暑中見舞いは写真を加えて印刷することはあまり無い。写真を加えて印刷する場合は、写真枠Ｐは、人物以外の写真データを設定される傾向が極めて高い。このため、カテゴリーデータＤＣに基づいて暑中見舞いであると判断されれば、シーンは人物以外で汎用的な「標準」であると判定する。シーンが「標準」と判定されれば、Ｓ１０４にて、補正情報には「標準」が反映される。写真補正する際には修正方針として「標準（人物以外の汎用的なもの）」の写真に適用すると見栄えが向上する修正が指示され、その指示に則した写真補正が行われる。
【００２１】
カテゴリーデータＤＣが反映されない場合は、ＣＰＵ４１は、Ｓ１０８にて、写真枠Ｐが縦長か否かを判断し、縦長の場合は、Ｓ１１０にて、写真枠Ｐの幅は１００ピクセル未満か否かを判断する。傾向として、はがきに写真を印刷する場合には、このような条件で設定することが多いからである。このため、両方の条件が成立したら、ＣＰＵ４１は、Ｓ１１２にて、シーンは「人物」と設定するし、縦長でなければ、ＣＰＵ４１は、Ｓ１１４にて、シーンは「風景」と設定する。
縦長以外にも、年賀状に扇形の枠の形状であれば、人物を反映させることが多い。従って、形状毎に分類しておいて、形状からシーンを判定するようにしても良い。
【００２２】
このように、テンプレートデータＤＴの写真枠Ｐについて、カテゴリーデータＤＣ、縦長、写真幅に基づいて判定するのは、テンプレートデータの枠情報を取得して判定しているといえ、情報取得手段に相当する。そして、これらに基づいて補正情報に「人物」、「情報」「風景」と設定するのは、取得された枠情報に基づいて修正方針を指定しているといえ、修正方針適用手段に相当する。
【００２３】
また、テンプレートＴのカテゴリーは、テンプレートの種類の設定といえ、Ｓ１００〜Ｓ１０６にて、種類と枠情報とに基づいて修正方針を指定するので、修正方針適用手段に相当する。
【００２４】
さらに、Ｓ１０８，Ｓ１１０にて、形状とピクセルに基づいて判定しているので、写真枠の形状に基づいて修正方針を指定しているといえ、修正方針適用手段に相当する。
【００２５】
この他、たくさん写真枠Ｐを形成したテンプレートＴであれば、これらに人物の写真を反映させる傾向が見られる。この場合、写真の数をしきい値として、シーン判定しても良い。この場合、写真枠Ｐの数に基づいて修正方針を指定しているといえ、修正方針適用手段に相当する。
【００２６】
カテゴリーが年賀状である場合を除き、以上の判断で補正情報を設定した場合は、ＣＰＵ４１は、Ｓ１１６にて、顔認識を実行する。年賀状に写真データを反映させる場合は人物の写真であることが非常に高いが、それ以外の条件については、判定の確率は年賀状よりも劣る。このため、念のために顔認識を行い、Ｓ１１８にて、顔を検出したのであれば、Ｓ１２０にて、シーンは「人物」と設定する。例えば、横長であっても、人物を写した写真データが存在しないとは限らないからである。
このように、顔認識でシーンを「人物」と設定するのは、枠情報からでは判定できない場合でもより確実な補正情報を設定できる。
【００２７】
Ｓ１１６にて、写真データに対して顔認識をしているので、顔認識手段に相当する。また、Ｓ１２０でシーンは「人物」と設定している処理は、認識結果に基づいて、同写真データが配置される文字枠Ｊの修正方針として人物用の修正方針を適用しているといえる。
最後に、ＣＰＵ４１は、Ｓ１２２にて、設定されている修正方針に対応して写真データに対して自動補正を実行する。このＳ１２２の処理は、写真補正手段に相当する。
【００２８】
（第２実施形態）
図５は、変形例の修正方針処理のフローチャートである。
次に、ユーザーがシーン変更した場合の履歴を利用してシーンを設定する実施形態について説明する。
ユーザーが自らあるテンプレートＴの文字枠Ｊを指定し、この文字枠Ｊに対するシーンを設定する場合、以下のようにする。
ＣＰＵ４１は、Ｓ２００にて、この文字枠Ｊを対象とするシーン例を表示する。上の例であれば、「標準」、「人物」、「風景」などがシーン例に相当する。
【００２９】
ＣＰＵ４１は、Ｓ２０２にて、ユーザーの入力を待機する。ユーザーがシーン例の中からシーンを選んだ場合は、その入力に基づいてＣＰＵ４１は、Ｓ２０４にて、シーンを反映させ、ＣＰＵは、Ｓ２０６にて、テンプレートと共に、反映したシーンを記憶する。
このようにユーザーがシーン変更した場合は、このシーン変更の傾向を今後に反映させることが望ましい。そこで、ＣＰＵ４１は、Ｓ２０８にて、デフォルトシーン判定を実施する。具体的には、過去の履歴を参照し、履歴から傾向が見られるか否かを判断する。シーン変更の設定回数がしきい値を超えているかとか、特定のシーン変更をしていることが多いとか、基準は各種のものとすることができる。
【００３０】
Ｓ２１０では、デフォルトシーン判定といえるか判断する。デフォルトシーン判定といえる場合に、Ｓ２１２にて、テンプレートにデフォルトシーンを設定するし、デフォルトシーン判定といえない場合は、この時点でデフォルトシーンを設定することなく終了する。
【００３１】
このように、ユーザーの操作入力であるシーン変更があると、ユーザーの操作入力に基づく設定を記録し、同設定の記録を使用してデフォルトシーン判定としてよいか判断した上で、デフォルトシーンを反映させる処理は、テンプレートＴの写真枠Ｐへの修正方針をユーザーの操作入力に基づいて設定していることに相当する。
【００３２】
（第３実施形態）
左記の実施形態では補正情報はデフォルトでは設定されていないことを前提としている。しかし、カテゴリーや形状に基づいて仮に設定しておくことも可能である。
この場合は、写真枠Ｐに修正方針を仮設定してあることに相当する。
【００３３】
なお、本発明は前記実施例に限られるものでないことは言うまでもない。当業者であれば言うまでもないことであるが、
・前記実施例の中で開示した相互に置換可能な部材および構成等を適宜その組み合わせを変更して適用すること
・前記実施例の中で開示されていないが、公知技術であって前記実施例の中で開示した部材および構成等と相互に置換可能な部材および構成等を適宜置換し、またその組み合わせを変更して適用すること
・前記実施例の中で開示されていないが、公知技術等に基づいて当業者が前記実施例の中で開示した部材および構成等の代用として想定し得る部材および構成等と適宜置換し、またその組み合わせを変更して適用すること
は本発明の一実施例として開示されるものである。
【符号の説明】
【００３４】
１０…インクジェットプリンター、２０…タッチパネルディスプレイ、２１…タッチ入力デバイス、２２…ディスプレイ、４０…制御回路、４１…ＣＰＵ、４２…ＲＡＭ、４３…不揮発性メモリー、５０…メモリーカードリーダー、６０…プリントエンジン、７０…キーボード。
【図１】
2017144629.tif 000003
【図２】
2017144629.tif 000004
【図３】
2017144629.tif 000005
【図４】
2017144629.tif 000006
【図５】
2017144629.tif 000007